(57)【要約】【課題】術場で補填される部位の形態に合わせて簡易に整形する。【解決手段】生体親和性材料からなる布材２と、該布材２の表面に付着させられたリン酸カルシウム粉末を主成分とするセメント組成物３とを備える骨補填材１を提供する。【選択図】      図１
2008284302.tif 000002
【特許請求の範囲】
【請求項１】
生体親和性材料からなる布材と、
該布材の表面に付着させられたリン酸カルシウム粉末を主成分とするセメント組成物とを備える骨補填材。
【請求項２】
前記セメント組成物と液剤と有機物バインダとを混合してなるスラリー内に前記布材を浸漬させた後、スラリーを乾燥させて構成されている請求項１に記載の骨補填材。
【請求項３】
前記布材の表面に、前記セメント組成物を溶射法により吹き付けることにより構成されている請求項１に記載の骨補填材。
【請求項４】
前記布材が、生体吸収性材料からなる請求項１から請求項３のいずれかに記載の骨補填材。
【請求項５】
前記布材が、ポリ乳酸、β−カプロラクタム、ポリエチレンテレフタレート、絹糸、ナイロンまたは４フッ化エチレン樹脂からなる請求項１から請求項３のいずれかに記載の骨補填材。
【請求項６】
前記リン酸カルシウム粉末が、α−リン酸三カルシウム、ハイドロキシアパタイト、リン酸四カルシウム、リン酸水素カルシウム二水和物またはこれらの混合物のいずれかからなる請求項１から請求項５のいずれかに記載の骨補填材。
【発明の詳細な説明】
【技術分野】
【０００１】
本発明は、骨補填材に関するものである。
【背景技術】
【０００２】
従来、可撓性シート状支持体表面にリン酸カルシウム材料の骨補填材塗布層を設けたシート状骨補填材が知られている（例えば、特許文献１参照。）。
このシート状骨補填材は、通常の取扱時には、可撓性シート状支持体表面から剥離し難く、必要時に骨補填材塗布層を可撓性シート状支持体表面から剥離させるものである。
【０００３】
【特許文献１】特開２００５−１７７０９６号公報
【発明の開示】
【発明が解決しようとする課題】
【０００４】
しかしながら、特許文献１に開示されているシート状骨補填材は、平坦な形態を維持したままの状態で使用することを目的としているものであって形態の自由度がなく、術場で補填される部位の形態に合わせて整形することが困難であるという問題がある。
特に、人工股関節等のインプラントにおいては、術場において、容易に髄腔内に挿入されるステムの外径サイズを髄腔内径サイズに一致させることを可能にすることが望まれている。
【０００５】
この発明は上述した事情に鑑みてなされたものであって、術場で補填される部位の形態に合わせて簡易に整形することができるシート状の骨補填材を提供することを目的としている。
【課題を解決するための手段】
【０００６】
上記目的を達成するために、本発明は以下の手段を提供する。
本発明は、生体親和性材料からなる布材と、該布材の表面に付着させられたリン酸カルシウム粉末を主成分とするセメント組成物とを備える骨補填材を提供する。
本発明によれば、使用に先立って水に浸すことによりセメント組成物の硬化を開始させることができる。セメント組成物は布材に付着させられているので、布材を変形させることで、補填される部位の形状に合わせて整形し、その形態で硬化させることができる。例えば、人工股関節等のインプラントのステムが大腿骨の髄空の内径に比べて細い場合に、水に浸した骨補填材の布材を変形させてステムに巻き付けることにより、容易に、ステムの外形寸法を増大させ、髄空の内径サイズに一致させることができる。
【０００７】
布材が生体親和性材料により構成されているので、体内に留置されても、炎症等の不都合の発生を抑えることができる。また、セメント組成物がリン酸カルシウム粉末を主成分としているので、経時的な自家骨化を促すことができる。
【０００８】
上記発明においては、前記セメント組成物と液剤と有機物バインダとを混合してなるスラリー内に前記布材を浸漬させた後、スラリーを乾燥させて構成されていることとしてもよい。
また、上記発明においては、前記布材の表面に、前記セメント組成物を溶射法により吹き付けることにより構成されていることとしてもよい。
このようにすることで、リン酸カルシウム粉末からなるセメント組成物を布材の表面に付着させた骨補填材を簡易に得ることができる。
【０００９】
また、上記発明においては、前記布材が、生体吸収性材料からなることが好ましい。
このようにすることで、生体内に留置される布材も経時的に吸収されて消滅するので、生体内に異物を残すことなく、補填された部位を治癒することが可能となる。
【００１０】
また、上記発明においては、前記布材が、ポリ乳酸、β−カプロラクタム、ポリエチレンテレフタレート、絹糸、ナイロンまたは４フッ化エチレン樹脂からなることとしてもよい。
さらに、上記発明においては、前記リン酸カルシウム粉末が、α−リン酸三カルシウム、ハイドロキシアパタイト、リン酸四カルシウム、リン酸水素カルシウム二水和物またはこれらの混合物のいずれかからなることとしてもよい。
【発明の効果】
【００１１】
本発明によれば、術場で補填される部位の形態に合わせて簡易に整形することができるという効果を奏する。
【発明を実施するための最良の形態】
【００１２】
本発明の一実施形態に係る骨補填材１について、図１〜図３を参照して以下に説明する。
本実施形態に係る骨補填材１は、図１に示されるように、ガーゼのような布材２と、該布材２の表面に付着させられたセメント組成物３とを備えている。
【００１３】
布材２は、例えば、ポリ乳酸、β−カプロラクタム、ポリエチレンテレフタレート、絹糸、ナイロンまたは４フッ化エチレン樹脂のような生体親和性の材料により構成されている。
また、セメント組成物３は、α−リン酸三カルシウム、ハイドロキシアパタイト、リン酸四カルシウム、リン酸水素カルシウム二水和物またはこれらの混合物のいずれかからなるリン酸カルシウム粉末を主成分としている。
【００１４】
本実施形態に係る骨補填材１は、例えば、上記リン酸カルシウム粉末からなるセメント組成物を溶射法により布材２の表面に付着させる方法、あるいは、上記リン酸カルシウム粉末と、ポリ酢酸ビニルのような親水性の高分子材料からなる少量のバインダと、水とを混合することにより構成されたスラリー内に布材２を浸漬させて引き揚げた後、これを乾燥させることにより構成する方法により製造することができる。
【００１５】
このように構成された本実施形態に係る骨補填材１の作用について、以下に説明する。
本実施形態に係る骨補填材１を人工股関節等のインプラント４に適用する場合には、骨補填材１を水に浸すことにより、セメント組成物３の硬化を開始させる一方、図２に示されるように、インプラント４のステム５に巻き付けていくことで、ステム５の外径サイズを大きくしていくことができる。
【００１６】
すなわち、大腿骨Ａの髄腔Ｂの内径サイズには個人差があり、また、形状も異なるので、一律に同一のインプラント４を使用する場合には、ステム５を全ての患者の髄腔Ｂに合致させることができないが、本実施形態に係る骨補填材１を用いることにより、ステム５に対する骨補填材１の巻き数を調節するだけで、ステム５の外径サイズを髄腔Ｂの内径サイズに容易に一致させることができる。
【００１７】
そして、セメント組成物３が硬化してしまう前に、本実施形態に係る骨補填材１を巻き付けたステム５を髄腔Ｂ内に挿入することにより、インプラント４を大腿骨Ａの髄腔Ｂ内に隙間なく挿入することができる。髄腔Ｂ内に挿入されたステム５に巻き付けられている骨補填材１は、経時的に硬化するので、インプラント４が大腿骨Ａにしっかりと固定されることになる。
【００１８】
この場合において、本実施形態に係る骨補填材１によれば、布材２が生体親和性材料により構成されているので、インプラント４が生体内に埋植された後においても、炎症等の発生を防止することができる。また、布材２が生体吸収性材料により構成されていることとすれば、経時的に吸収されて消滅するので、生体内に異物を残す必要がなく、取り出すための再切開手術を行う必要もないという利点がある。さらに、セメント組成物３がリン酸カルシウム粉末を主成分としているので、髄腔Ｂ内において硬化した骨補填材１を経時的に自家骨化させることができる。
【００１９】
また、インプラント４の外径サイズ調整を行うために使用する以外にも、布材２にセメント組成物３を付着させた本実施形態に係る骨補填材１は、布材２を変形させることで、その形状を容易に補填される部位の形状に適合させることができる。例えば、骨折骨片を接続する場合、接続すべき２つの骨折骨片に跨るように巻き付けていくことにより、両者を簡易に接続した状態に固定することができる。この場合に、布材２に加える張力を調節して締め付け力を高めることにより、２つの骨折骨片の初期固定を容易に得ることができる。
【００２０】
また、複雑に骨折した多数の骨折骨片をまとめて包み込むように巻き付けることによっても、簡易に初期固定を得ることができる。
また、球面や内球面のような立体形状、あるいは複雑な凹凸形状に対してもぴったりと適合するように変形させることができ、種々の部位に容易に補填することができる。
また、本実施形態に係る骨補填材１によれば、上記の種々の補填作業を術場で簡易に整形しつつ行うことができるという利点がある。
【００２１】
なお、本実施形態においては、使用する布材２として、ガーゼのような布材２を例示したが、これに代えて、さらに織り目の細かい、あるいは粗い布材２を採用してもよい。また、織り込まれた布材２に代えて、不織布のような布材２を採用してもよい。
【図面の簡単な説明】
【００２２】
【図１】本発明の一実施形態に係る骨補填材を示す図である。
【図２】図１の骨補填材をインプラントのステムに巻き付ける例を説明する図である。
【図３】図１の骨補填材を巻き付けたステムを骨の髄腔内に挿入する操作を説明する図である。
【符号の説明】
【００２３】
１  骨補填材
２  布材
３  セメント組成物
【図１】
2008284302.tif 000003
【図２】
2008284302.tif 000004
【図３】
2008284302.tif 000005